(57)【特許請求の範囲】
【請求項１】
病院または介護の施設において利用者を特定するＩＤ情報（以下「診察券ＩＤ」という）を取得するための個人識別媒体（以下「診察券」という）を使用する放送配信システムであって、
前記利用者の前記診察券ＩＤと、前記利用者に割当られるベッドのベッド番号との対応関係のデータを管理するベッド管理部と、
前記ベッドの前記ベッド番号と、前記ベッドに設置される放送受信装置が搭載するＢ−ＣＡＳ（登録商標、以下同じ）カードに固有のカードＩＤとの対応関係のデータを管理する装置管理部と、
前記利用者による前記放送受信装置の視聴課金の諾否と、前記利用者の前記診察券ＩＤとの対応関係のデータを管理する諾否管理部と、
「前記諾否管理部による前記視聴課金の諾否に関するデータ変更」または「前記ベッド管理部によるデータ変更」を契機として、前記診察券ＩＤを前記ベッド管理部に照会して、対応する前記ベッド番号を取得し、取得した前記ベッド番号を前記装置管理部に照会して、対応する前記カードＩＤを求めることにより、前記視聴課金の諾否が変化した前記カードＩＤ（以下「視聴書換用のカードＩＤ」という）を抽出する情報処理部と、
受信した放送信号をトランスポートストリームに復調し、前記トランスポートストリームに対して『前記視聴書換用のカードＩＤ宛てに前記視聴課金の諾否に基づいて視聴制限を制御するＥＭＭパケット』を多重して、多重後の前記トランスポートストリームを再変調するＥＭＭ重畳部と、
再変調された放送信号を、複数の前記放送受信装置に配信する配信部と、
前記診察券ＩＤに紐付けて前記視聴課金の情報を管理する課金部と
を備えたことを特徴とする放送配信システム。
【請求項２】
請求項１に記載の放送配信システムであって、
前記諾否管理部は、前記利用者による通信課金の諾否を、前記利用者による前記視聴課金の諾否と一緒に、前記利用者の前記診察券ＩＤと対応付けて管理し、
前記情報処理部は、「前記諾否管理部による前記通信課金の諾否に関するデータ変更」または「前記ベッド管理部によるデータ変更」を契機として、前記診察券ＩＤを前記ベッド管理部に照会して、対応する前記ベッド番号を取得し、取得した前記ベッド番号を前記装置管理部に照会して、対応する前記カードＩＤを求めることにより、前記通信課金の諾否が変化した前記カードＩＤ（以下「通信書換用のカードＩＤ」という）を抽出し、
前記ＥＭＭ重畳部は、通信に必要なパスワードを情報提供するトランスポートストリームを取得して『前記通信書換用のカードＩＤ宛てに前記通信課金の諾否に基づいて視聴制限を制御するＥＭＭパケット』を多重し、多重後の前記トランスポートストリームを再変調し、
前記課金部は、前記診察券ＩＤに紐付けて前記通信課金の情報を管理する
ことを特徴とする放送配信システム。
【請求項３】
請求項１〜２のいずれか一項に記載の放送配信システムであって、
前記ＥＭＭ重畳部は、多重後の前記トランスポートストリームを前記施設の自主放送の割当チャンネルに再変調し、
前記配信部は、前記割当チャンネルに再変調された放送信号を、前記割当チャンネルを選局可能に設定された複数の前記放送受信装置に配信する
ことを特徴とする放送配信システム。
【請求項４】
病院または介護の施設において利用者を特定するＩＤ情報（以下「診察券ＩＤ」という）を取得するための個人識別媒体（以下「診察券」という）を使用する放送配信方法であって、
管理コンピュータが、前記利用者の前記診察券ＩＤと、前記利用者に割当られるベッドのベッド番号との対応関係のデータを管理するベッド管理ステップと、
前記管理コンピュータが、前記ベッドの前記ベッド番号と、前記ベッドに設置される放送受信装置が搭載するＢ−ＣＡＳ（登録商標、以下同じ）カードに固有のカードＩＤとの対応関係のデータを管理する装置管理ステップと、
前記管理コンピュータが、前記利用者による前記放送受信装置の視聴課金の諾否と、前記利用者の前記診察券ＩＤとの対応関係のデータを管理する諾否管理ステップと、
前記管理コンピュータが、「前記諾否管理ステップによる前記視聴課金の諾否に関するデータ変更」または「前記ベッド管理ステップによるデータ変更」を契機として、前記診察券ＩＤを前記ベッド管理ステップに照会して、対応する前記ベッド番号を取得し、取得した前記ベッド番号を前記装置管理ステップに照会して、対応する前記カードＩＤを求めることにより、前記視聴課金の諾否が変化した前記カードＩＤ（以下「視聴書換用のカードＩＤ」という）を抽出する情報処理ステップと、
受信した放送信号をトランスポートストリームに復調し、前記トランスポートストリームに対して『前記視聴書換用のカードＩＤ宛てに前記視聴課金の諾否に基づいて視聴制限を制御するＥＭＭパケット』を多重して、多重後の前記トランスポートストリームを再変調するＥＭＭ重畳ステップと、
再変調された放送信号を、複数の前記放送受信装置に配信する配信ステップと、
前記管理コンピュータが、前記診察券ＩＤに紐付けて前記視聴課金の情報を管理する課金ステップと
を備えたことを特徴とする放送配信方法。
【発明の詳細な説明】
【技術分野】
【０００１】
本発明は、放送配信システム、および放送配信方法に関する。
【背景技術】
【０００２】
従来、病院や介護などの施設において、施設内の各所に配置される複数のテレビに対し、デジタル放送などの放送信号を配信する放送配信システムが知られている。
【０００３】
例えば、特許文献１には、『テレビに接続されたセットトップボックス（ＳＴＢ）にプリペイドカードのコード情報を入力することによって、ＳＴＢがテレビの視聴制限を解除する放送配信システム』が開示される。
【０００４】
また、特許文献２には、『多数のデジタルテレビが設置される宿泊施設内で、デジタル放送を視聴するための契約情報をＢ−ＣＡＳ（登録商標、以下同じ）カードに記憶させる放送配信システム』が開示される。
【先行技術文献】
【特許文献】
【０００５】
【特許文献１】特開２００６−３０９４５２号公報
【特許文献２】特開２００５−２１０４８６号公報
【発明の概要】
【発明が解決しようとする課題】
【０００６】
特許文献１の技術では、テレビ１台ごとに専用装置（セットトップボックス）が接続される。そのため、システム全体で多数の専用装置が必要になって、構成が複雑かつコスト高になるという問題があった。
【０００７】
一方、特許文献２の技術では、デジタルテレビが元々搭載するＢ−ＣＡＳカードの契約情報を書き換えることによって任意の視聴制限が実現する。そのため、テレビ１台ごとの専用装置が不要になって、構成が単純かつコスト安になる。
【０００８】
しかしながら、Ｂ−ＣＡＳカードに視聴制限をかける技術では、Ｂ−ＣＡＳカードを搭載するデジタルテレビ１台ごとに視聴制限の有無がコントロールされる。そのため、利用者個人という人間の単位で、視聴制限や課金管理を行うことが困難になる。
【０００９】
例えば、病院や介護の施設では、利用者が途中でベッドや部屋を移る場合がある。この場合、移った先で利用者が新たに利用するデジタルテレビについて、視聴制限を引き継いで再設定しなければならない。特許文献２には、そのための技術について開示も示唆もない。そのため、利用者の移動に際して、視聴制限の引き継ぎ再設定や課金管理が面倒で手間や時間がかかるという問題があった。
【００１０】
そこで、本開示は、Ｂ−ＣＡＳカードを応用して視聴制限を実現しつつ、入院中の利用者の移動にも連携して視聴制限および課金管理に対応することを目的とする。
【課題を解決するための手段】
【００１１】
上記課題を解決するために、本発明の代表的な放送配信システムの一つは、病院または介護の施設において利用者を特定するＩＤ情報（以下「診察券ＩＤ」という）を取得するための個人識別媒体（以下「診察券」という）を使用する放送配信システムであって、ベッド管理部、装置管理部、諾否管理部、情報処理部、ＥＭＭ重畳部、配信部、および課金部を備える。
【００１２】
前記ベッド管理部は、前記利用者の前記診察券ＩＤと、前記利用者に割当られるベッドのベッド番号との対応関係のデータを管理する。
【００１３】
前記装置管理部は、前記ベッドの前記ベッド番号と、前記ベッドに設置される放送受信装置が搭載するＢ−ＣＡＳカードに固有のカードＩＤとの対応関係のデータを管理する。
【００１４】
前記諾否管理部は、前記利用者による前記放送受信装置の視聴課金の諾否と、前記利用者の前記診察券ＩＤとの対応関係のデータを管理する。
【００１５】
前記情報処理部は、「前記諾否管理部による前記視聴課金の諾否に関するデータ変更」または「前記ベッド管理部によるデータ変更」を契機として、前記診察券ＩＤを前記ベッド管理部に照会して、対応する前記ベッド番号を取得し、取得した前記ベッド番号を前記装置管理部に照会して、対応する前記カードＩＤを求めることにより、前記視聴課金の諾否が変化した前記カードＩＤ（以下「視聴書換用のカードＩＤ」という）を抽出する。
【００１６】
前記ＥＭＭ重畳部は、受信した放送信号をトランスポートストリームに復調し、前記トランスポートストリームに対して『前記視聴書換用のカードＩＤ宛てに前記視聴課金の諾否に基づいて視聴制限を制御するＥＭＭパケット』を多重して、多重後の前記トランスポートストリームを再変調する。
【００１７】
前記配信部は、再変調された放送信号を、複数の前記放送受信装置に配信する。
【００１８】
前記課金部は、前記診察券ＩＤに紐付けて前記視聴課金の情報を管理する。
【発明の効果】
【００１９】
本開示によれば、Ｂ−ＣＡＳカードを応用して視聴制限を実現しつつ、入院中の利用者の移動にも連携して視聴制限および課金管理に対応することが可能になる。
【００２０】
ここで述べた以外の課題、構成および効果については、後述する実施形態の説明で明らかにされる。
【図面の簡単な説明】
【００２１】
【図１】図１は、放送配信システム１００の構成を示す図である。
【図２】図２は、放送受信装置３００の機能ブロックを説明する図である。
【図３】図３は、操作画面の一例を示す図である。
【図４】図４は、放送配信システム１００の登録および課金処理を説明する流れ図である。
【図５】図５は、放送受信装置３００に対する視聴制限の設定や解除を説明する流れ図である。
【図６】図６は、視聴制限メッセージの一例を示す図である。
【図７】図７は、放送受信装置３００を用いた通信制限の設定や解除を説明する流れ図である。
【図８】図８は、パスワード提供コンテンツの一例を示す図である。
【図９】図９は、パスワード非提供メッセージの一例を示す図である。
【図１０】図１０は、放送受信装置３００の処理を説明する流れ図である。
【発明を実施するための形態】
【００２２】
以下、実施例について図面を参照しながら説明する。
【実施例１】
【００２３】
＜放送配信システム１００の構成について＞
図１は、放送配信システム１００の構成を示す図である。
同図において、放送配信システム１００は、入力端末１１０、診察券リーダ１２０、管理コンピュータ１３０、自動精算システム１４０、診察券リーダ１５０、分配器１６０、施設内コンテンツ１７０、ＥＭＭ重畳部１８０、配信部１９０、および複数の放送受信装置３００を備える。
【００２４】
これらの構成の内、入力端末１１０は、パソコンやタブレット端末や専用端末装置などであって、利用者に対応する病院受け付けやナースセンターなどに配置される。入力端末１１０は、利用者について、『利用する部屋およびベッドを一意に特定するベッド番号』、『コンテンツ視聴における視聴課金の諾否』、『インターネット使用における通信課金の諾否』に関する登録を受け付ける。ここでの登録は、例えば、病院側の担当者が行ってもよいし、利用者がセルフサービスやアンケート入力形式で行ってもよい。
【００２５】
診察券リーダ１２０は、利用者の診察券を機械読み取りして、読み取った診察券ＩＤを利用者を特定するための登録情報として入力端末１１０に出力する。
【００２６】
管理コンピュータ１３０は、ネットワークＮＮを介して、入力端末１１０および自動精算システム１４０と通信接続される。
【００２７】
このネットワークＮＮには、ローカルエリアネットワーク（ＬＡＮ）やインターネットなどが使用される。また、ネットワークＮＮは、ファイアウォールを介して、病院や介護の施設に関する情報管理を行う医事システムＭＤのネットワークに接続される。この接続によって、管理コンピュータ１３０や自動精算システム１４０などは、医事システムＭＤ側から許可される範囲内で施設や利用者の情報を取得することもできる。
【００２８】
管理コンピュータ１３０は、入力端末１１０から、利用者に関する登録情報として、診察券ＩＤ、諾否情報（視聴課金の諾否，通信課金の諾否）、およびベッド番号などの情報を取得する。
【００２９】
管理コンピュータ１３０は、これらの情報に基づいて新規登録、更新、照会などのデータ処理を行うために、ベッド管理部ＴＢ０、装置管理部ＴＢ１、諾否管理部ＴＢ２、情報処理部ＴＢ３、および課金部ＴＢ４を備える。
【００３０】
ここでのベッド管理部ＴＢ０は、『利用者の診察券ＩＤ』と、『利用者に割り当てられる病棟、階数、部屋、およびベッドの組み合わせを一意に示すベッド番号』との対応関係のデータを管理する。
【００３１】
装置管理部ＴＢ１は、『ベッドのベッド番号』と、『そのベッドに付属する放送受信装置３００に搭載されるＢ−ＣＡＳカード３４０のカードＩＤ』との対応関係のデータを管理する。この対応関係については、ベッドに付属する放送受信装置３００が変更されない限りは通常不変である。そのため、放送受信装置３００の装置入れ替えや病室内のベッド配置の模様替えなどに際して、装置管理部ＴＢ１の対応関係のデータは書き換えられる。
【００３２】
諾否管理部ＴＢ２は、『利用者の診察券ＩＤ』と、『諾否情報（視聴課金の諾否および通信課金の諾否）』との対応関係のデータを管理する。なお、諾否情報には、諾否の具体的条件として、視聴課金で視聴するチャンネルや、通信課金で通信するデータ量の上限などの情報も含めることができる。
【００３３】
情報処理部ＴＢ３の処理内容の詳細については後述する。
【００３４】
課金部ＴＢ４は、『利用者の診察券ＩＤ』ごとに紐付けて管理される『その利用者が使用したコンテンツ視聴およびインターネット使用に対する課金金額』や『必要であれば課金金額によって生じるポイント情報』などの情報として、所定の課金ルールに従って算定される課金情報Ｐを管理する。課金部ＴＢ４は、この課金情報Ｐを自動精算システム１４０に出力する。
【００３５】
自動精算システム１４０は、診察券から取得した診察券ＩＤに基づいて課金部ＴＢ４からの課金情報Ｐの他に、医事システムＭＤからの医療サービスに関する取得した精算額等の精算すべき明細項目を統合することにより、利用者に対する費用精算を迅速かつ簡易に可能とする。
【００３６】
診察券リーダ１５０は、利用者の診察券を機械読み取りして、読み取った診察券ＩＤを自動精算システム１４０に出力する。
【００３７】
分配器１６０は、受信アンテナや同軸ケーブルなどから受信した放送信号Ｂ１（地上波デジタル放送、衛星放送、ラジオ放送など）を、分配先であるＥＭＭ重畳部１８０のチューナー１８１の個数だけ分配し、インピーダンス整合を取って出力する。なお、一般に、衛星放送の放送電波に使用される１２ＧＨｚ帯などの高周波帯域については、そのままではケーブル配線上での減衰損失が大きいため、電波のアンテナ受信時に所定の中間周波数に周波数変換される。
【００３８】
施設内コンテンツ１７０は、放送配信システム１００の独自コンテンツを放送するためのコンテンツサーバーである。例えば、病院内の施設ガイドや、入院時の説明など、利用者に説明が必要な独自コンテンツをＥＭＭ重畳部１８０へ供給する。通常、これらのコンテンツについては、視聴課金の対象外に設定されるため、利用者は視聴制限なく無料で視聴することができる。
【００３９】
インターネットなどに必要なＷｉｆｉ（登録商標）や有線通信のパスワードを表示する独自コンテンツ（以下『パスワード提供コンテンツ』という）も、施設内コンテンツ１７０からＥＭＭ重畳部１８０へ供給される。このパスワード提供コンテンツについては後述する。
【００４０】
ＥＭＭ重畳部１８０は、受信した放送信号をトランスポートストリーム（以下『ＴＳ』ともいう）に復調し、トランスポートストリームに対して独自のＥＭＭパケットを多重し、多重後のトランスポートストリームを施設内の自主放送の割当チャンネルに再変調する。
【００４１】
このような機能のため、ＥＭＭ重畳部１８０は、例えば、チューナー１８１、デマルチプレクサ１８２、ＥＭＭパケットエンコーダ１８３、マルチプレクサ１８４、および変調器１８５を内部に備える。
【００４２】
このＥＭＭ重畳部１８０の内部構成の内、チューナー１８１は、受信した放送信号を放送チャンネルごとに復調して、放送チャンネルごとのトランスポートストリームを出力する。そのため、チューナー１８１は、必要な放送チャンネル数を略同時に復調するために必要な数だけ設けられる。なお、同時に複数チャンネルを復調可能なチューナー１８１を使用することによって、必要なチューナー１８１の数を削減してもよい。
【００４３】
デマルチプレクサ１８２は、トランスポートストリームに多重される放送コンテンツ（MPEGパケット）、ＥＣＭパケット、ＥＭＭパケットをそれぞれ抽出する。
【００４４】
ＥＭＭパケットエンコーダ１８３は、管理コンピュータ１３０の管理データに基づいて独自のＥＭＭパケットのデータを作成し、マルチプレクサ１８４に供給する。
【００４５】
マルチプレクサ１８４は、独自のＥＭＭパケットが交換、挿入、または新規追加される形で、ＥＭＭパケット、放送コンテンツ、ＥＣＭパケットを多重し、トランスポートストリームとして出力する。
【００４６】
変調器１８５は、多重後のトランスポートストリームを入院施設内の自主放送の割当チャンネルに再変調する。そのため、変調器１８５は、必要な割当チャンネル数を略同時に変調するために必要な数だけ設けられる。なお、同時に複数チャンネルを変調可能な変調器１８５を使用することによって、必要な変調器１８５の数を削減してもよい。
【００４７】
配信部１９０は、割当チャンネルに変調された放送信号を複数の放送受信装置３００に配信する。このような機能のため、例えば、配信部１９０は、混合器１９１、および分配器ネットワーク１９２を内部に備える。
【００４８】
この配信部１９０の内部構成の内、混合器１９１は、割当チャンネルごとの変調信号を多重化することにより、放送配信Ｂ２を出力する。
【００４９】
分配器ネットワーク１９２は、放送配信Ｂ２を複数ケーブルに分配して伝送し、入院施設内の各ベッド（病床）の放送受信装置３００それぞれに放送配信Ｂ２を供給する。
【００５０】
なお、上述した管理コンピュータ１３０については、ハードウェアとしてＣＰＵ（Central Processing Unit）やメモリなどを備えたコンピュータシステムとして構成される。このハードウェアがコンピュータ可読媒体に記憶された放送配信プログラムを実行することにより、上述したベッド管理部ＴＢ０、装置管理部ＴＢ１、諾否管理部ＴＢ２、情報処理部ＴＢ３、および課金部ＴＢ４の各種機能が実現する。このハードウェアの一部または全部については、専用の装置、汎用の機械学習マシン、ＤＳＰ（Digital Signal Processor）、ＦＰＧＡ（Field-Programmable Gate Array）、ＧＰＵ（Graphics Processing Unit）、ＰＬＤ（programmable logic device）などで代替してもよい。また、ハードウェアやプログラムの一部または全部をネットワーク上のサーバに集中または分散してクラウドシステムを構成することにより、複数のクライアント施設に対して放送配信の管理サービスを施設別にサービス提供してもよい。
【００５１】
＜放送受信装置３００の選局機能について＞
続いて、放送受信装置３００について、選局機能を中心に説明する。
図２は、デジタルテレビである放送受信装置３００の機能ブロックを説明する図である。
【００５２】
同図において、放送受信装置３００は、チューナー３１０、制御部３２０、デマルチプレクサ３２１、ＭＵＬＴＩ２解除部３２２、マークアップ処理部３２３、Ｂ−ＣＡＳカード３４０、映像音声処理部３５０、表示モニタ３６０、スピーカ３７０、リモコン受光部３８０、およびＬＡＮ部３９０を備える。リモコン受光部３８０は、赤外線通信などによってリモコン端末４００と通信接続される。ＬＡＮ部３９０は、ＬＡＮアクセスポイント４１０を介してＬＡＮやインターネットなどのネットワークに通信接続される。
【００５３】
リモコン受光部３８０は、リモコン端末４００から受信した００１〜０１２などのリモコンチャンネル番号（仮想チャンネル）を制御部３２０へ出力する。制御部３２０は、このリモコンチャンネル番号を施設内の自主放送の割当チャンネル（物理チャンネル）に振り分け、割当チャンネルの選局指示としてチューナー３１０へ出力する。
【００５４】
ここでのリモコンチャンネル番号から割当チャンネルへの振り分けは、下記の３段階の対応ルールに従って行われる。
【００５５】
（１）リモコンチャンネル番号００１〜０１２（仮想チャンネル）
（２）→『放送事業体ごとの放送チャンネル(物理チャンネル）』
（３）→チャンネル変換後の『施設内の自主放送の割当チャンネル（物理チャンネル）』
【００５６】
そのため、放送配信システム１００の利用者（ここでは入院者）は、システム独自の割当チャンネルを意識せずに、普段通りに放送チャンネルを選局する感覚でリモコン端末４００を操作することによって、システム独自の割当チャンネルの選局指示を行うことが可能になる。
【００５７】
なお、施設内の独自コンテンツの割当チャンネルについては、対応する放送チャンネルが存在しないため、リモコン端末４００の単独操作のみでは選局操作が分かりにくい。
【００５８】
その場合、利用者は、リモコン端末４００のデータ画面表示ボタンを押すことによって、放送受信装置３００の表示モニタ３６０に操作画面を表示することができる。
【００５９】
図３は、この操作画面の一例を示す図である。
このような操作画面は、マークアップ処理部３２３が、ＢＭＬ（Broadcast Markup Language）やＨＴＭＬ５（Hyper Text Markup Language 5）などのマークアップ言語を用いて表示する画面である。
【００６０】
操作画面に向かって左側には、『施設ガイド』、『入院の説明』、『テレビを観る』、『ラジオを流す』、および『インターネットを使う』などの主項目が選択可能に配列表示される。
【００６１】
操作画面に向かって右側には、選択中の主項目に応じた詳細項目が選択可能に配列表示される。
【００６２】
ここでは、『施設ガイド』、『入院の説明』、『インターネットを使う』などの主項目と、その階層下の詳細項目が、施設内の独自コンテンツに相当する。
【００６３】
利用者は、リモコン端末４００の十字キー、選択キー、および戻るキーを使用して、主項目および詳細項目を段階的に選択することができる。
【００６４】
制御部３２０は、マークアップ処理部３２３から操作画面の選択結果を、施設内の自主放送の割当チャンネル（物理チャンネル）に振り分け、割当チャンネルの選局指示としてチューナー３１０へ出力する。
【００６５】
このように操作画面（図３参照）を使用することにより、利用者は、対応する放送チャンネルが存在する割当チャンネルの他に、施設内に限って放送される独自コンテンツについても、チャンネル番号を意識せずに画面上から選局指示を行うことが可能になる。
【００６６】
＜放送配信システム１００の登録および課金管理について＞
次に、放送配信システム１００において、『コンテンツ視聴』および『インターネット使用』の登録と、それに伴う課金管理について説明する。
【００６７】
図４は、放送配信システム１００の登録および課金処理を説明する流れ図である。
以下、同図に示すステップ番号に沿って説明する。
【００６８】
テレビや冷蔵庫Ｗｉ−Ｆｉなど病室内設備の使用について、利用者は１日いくら使い放題の定額料金などの課金ルールを入院前、及び入院オリエンテーション時に確認する。なお、この課金への同意については利用者は書面をもって行う。
【００６９】
ステップＳ０１：  入力端末１１０の画面には、利用者のベッド番号の入力画面が自動的に表示される。例えば、入力画面には、病棟別および階別に病室の配置が表示される。この中から病室を選択すると、病室内のベッド（病床）の配置が入力画面に表示される。この中からベッドを選択することによって、ベッドに１対１に対応するベッド番号が入力端末１１０に入力される。
【００７０】
ステップＳ０２：  入院施設の担当者は、ベッドＮＯと利用者個人を１対１で紐づけするため、利用者の診察券を診察券リーダ１２０にかざして、診察券に一意に割り振られる診察券ＩＤの機械読み取りを行う。読み取られた診察券ＩＤは、入力端末１１０に出力され、入力画面に表示される。
【００７１】
次に、『コンテンツの視聴課金』および『インターネットの通信課金』のそれぞれについて許諾（有料）を意志表明するためのチェックボックスが表示される。さらに、課金ルールや課金額などについても表示される。
【００７２】
ステップＳ０３：  ベッド管理部ＴＢ０は、入力端末１１０から転送されるステップＳ０１、Ｓ０２の結果に基づいて、診察券ＩＤおよびベッド番号の対応関係を追加または移動
更新する。
【００７３】
例えば、入院の手続が指定された場合、ベッド管理部ＴＢ０は、新たなレコードを登録作成し、そのレコードに診察券ＩＤとベッド番号とを紐付けて自動的に書き込む。
【００７４】
また、利用者についてベッド移動の手続が指定された場合、ベッド管理部ＴＢ０は、登録済みの診察券ＩＤに対するベッド番号を新たなベッド番号に変更する。
なお、診察券ＩＤが先に登録済みでありながら、対応するベッド番号が異なる場合、利用者がベッドを移動したと考えられる。この場合、ベッド管理部ＴＢ０は、登録済みの診察券ＩＤに対応するベッド番号について自動的なデータ変更を行ってもよい。
なお、利用者の退院処理の場合には、ベッド管理部ＴＢ０は、診察券ＩＤに対応するレコードを削除する。
【００７５】
ステップＳ０４：  諾否管理部ＴＢ２は、入力端末１１０から転送されるステップＳ０１、Ｓ０２の結果に基づいて、診察券ＩＤと諾否情報（視聴課金の諾否、通信課金の諾否）との対応関係を追加または更新する。
【００７６】
例えば、診察券ＩＤおよび諾否情報が共に新規であれば、入院の手続であると考えられる。この場合、諾否管理部ＴＢ２は、診察券ＩＤについて新たなレコードを登録作成し、そのレコードに諾否情報を書き込むデータ変更を行う。
【００７７】
また、診察券ＩＤが先に登録済みでありながら、対応する諾否情報が異なる場合、利用者の視聴課金または通信課金について諾否の意志が変化したと考えられる。この場合、諾否管理部ＴＢ２は、登録済みの診察券ＩＤに対応する諾否情報についてデータ変更を行う。
なお、利用者の退院処理の場合には、諾否管理部ＴＢ２は、診察券ＩＤに対応するレコードを削除する。
【００７８】
ステップＳ０５：  課金部ＴＢ４は、診察券ＩＤごとに紐付けて『コンテンツ視聴』および『インターネット使用』の課金情報Ｐを、予め定められた課金ルールに従って更新する。
ここでの課金ルールとしては、例えば、一定額の課金、使用日数分の課金、使用時間分の課金など施設側で予め定めることができる。
【００７９】
ステップＳ０６：  課金部ＴＢ４は、診察券ＩＤごとの課金情報Ｐを、診察券ＩＤによる自動精算システム１４０へ適時（毎日定時や退院時など）に出力する。
【００８０】
以上のような一連の処理により、診察券ＩＤに対応付けたベッド番号および諾否情報のデータ変更と、それに伴う診察券ＩＤに紐付けた課金管理が実施される。
【００８１】
＜放送配信システム１００におけるコンテンツの視聴制限について＞
続いて、コンテンツの視聴制限のために放送配信側において実施される処理について説明する。
【００８２】
図５は、放送受信装置３００に対する視聴制限の設定や解除を説明する流れ図である。
以下、同図に示すステップ番号に沿って説明する。
【００８３】
ステップＳ１０１：  情報処理部ＴＢ３は、『諾否管理部ＴＢ２による視聴課金の諾否に関するデータ変更』または『ベッド管理部ＴＢ０によるベッド番号に関するデータ変更』が有ったか否かを判定する。
【００８４】
ここでの判定結果が『有り』の場合、ベッド番号（放送受信装置３００と一対一）と視聴課金の諾否との少なくとも一方が変化したため、該当する放送受信装置３００に対して視聴制限の設定変更が必要と推定される。そこで、情報処理部ＴＢ３は、この判定を契機として、視聴制限の設定変更を開始するため、ステップＳ１０２に動作を移行する。
一方、ここでの判定結果が『無し』の場合、情報処理部ＴＢ３は、視聴制限の設定や解除は現在不要と判断して、動作を一旦完了する。
【００８５】
ステップＳ１０２：  情報処理部ＴＢ３は、諾否管理部ＴＢ２およびベッド管理部ＴＢ０から、ステップＳ１０１でデータ変更（追加、更新）が有ったレコードを抽出し、そのレコードに含まれる診察券ＩＤを求める。
【００８６】
情報処理部ＴＢ３は、求めた診察券ＩＤをベッド管理部ＴＢ０に照会することによって、対応するベッド番号を取得する。情報処理部ＴＢ３は、取得したベッド番号を装置管理部ＴＢ１に照会することによって、ベッド番号に対応するＢ−ＣＡＳカード３４０のカードＩＤを取得する。
以上の情報処理によって、情報処理部ＴＢ３は、視聴課金の諾否が変化したカードＩＤ（以下「視聴書換用のカードＩＤ」）を抽出する。
【００８７】
なお、情報処理部ＴＢ３は、求めた診察券ＩＤを諾否管理部ＴＢ２に照会することによって、視聴書換用のカードＩＤについて、視聴課金の諾否とその具体的条件（視聴可のチャンネル、視聴不可のチャンネルなど）を取得する。情報処理部ＴＢ３は、これらの情報をＥＭＭパケットエンコーダ１８３へ出力して、独自のＥＭＭメッセージの生成を要求する。
【００８８】
ステップＳ１０３：  ＥＭＭパケットエンコーダ１８３は、ステップＳ１０２で抽出された視聴書換用のカードＩＤを送信先に指定して、視聴不可のチャンネルに『視聴制限メッセージ』を表示するＥＭＭパケットを生成する。
【００８９】
図６は、この視聴制限メッセージの一例を示す図である。
このようなメッセージは、ＥＭＭ共通メッセージ番号とＥＭＭ個別メッセージとを組み合わせて生成してもよい。
【００９０】
ステップＳ１０４：  ＥＭＭパケットエンコーダ１８３は、ステップＳ１０２で抽出された視聴書換用のカードＩＤを送信先に指定して、視聴可のチャンネルに『視聴制限メッセージ』を解除するＥＭＭパケットを生成する。
【００９１】
ステップＳ１０５：  ＥＭＭ重畳部１８０のチューナー１８１は、受信した放送信号Ｂ１を放送チャンネルごとに復調し、トランスポートストリームを得る。デマルチプレクサ１８２は、放送チャンネルごとにトランスポートストリームに多重される放送コンテンツ、ＥＣＭパケット、およびＥＭＭパケットをそれぞれ抽出する。
【００９２】
ステップＳ１０６：  マルチプレクサ１８４は、ステップＳ１０３、Ｓ１０４で生成されたＥＭＭパケットを、視聴制限対象の放送チャンネルのトランスポートストリーム内のＥＭＭパケットの箇所に交換、挿入または新規追加する形で多重する。
【００９３】
ステップＳ１０７：  変調器１８５は、トランスポートストリームを放送チャンネルごとに、施設内の自主放送の割当チャンネルの周波数帯に再変調する（チャンネル変換）。
【００９４】
ステップＳ１０８：  混合器１９１は、割当チャンネルごとにチャンネル変換された複数の放送信号を多重化し、放送配信Ｂ２を生成する。
【００９５】
ステップＳ１０９：  分配器ネットワーク１９２は、放送配信Ｂ２を高周波伝送ケーブルを介して、複数の放送受信装置３００へ伝送する。
【００９６】
以上のような一連の処理により、放送配信側において実施される『コンテンツ視聴』の制限および解除の処理が実施される。
【００９７】
＜放送配信システム１００におけるインターネット使用の制限および解除について＞
続いて、インターネット使用の制限および解除のために放送配信システム１００において実施される処理について説明する。
【００９８】
図７は、放送受信装置３００を用いた通信制限の設定や解除を説明する流れ図である。
以下、同図に示すステップ番号に沿って説明する。
【００９９】
ステップＳ２０１：  情報処理部ＴＢ３は、『諾否管理部ＴＢ２による通信課金の諾否に関するデータ変更』または『ベッド管理部ＴＢ０によるベッド番号に関するデータ変更』が有ったか否かを判定する。
【０１００】
ここでの判定結果が『有り』の場合、ベッド番号（放送受信装置３００と一対一）と通信課金の諾否との少なくとも一方が変化したため、該当する放送受信装置３００に対して通信制限の設定変更が必要と推定される。そこで、情報処理部ＴＢ３は、この判定を契機として、通信制限の設定変更を開始するため、ステップＳ２０２に動作を移行する。
一方、ここでの判定結果が『無し』の場合、情報処理部ＴＢ３は、通信制限の設定や解除は現在不要と判断して、動作を一旦完了する。
【０１０１】
ステップＳ２０２：  情報処理部ＴＢ３は、諾否管理部ＴＢ２およびベッド管理部ＴＢ０から、ステップＳ２０１でデータ変更（追加、更新）が有ったレコードを抽出し、そのレコードに含まれる診察券ＩＤを求める。
【０１０２】
情報処理部ＴＢ３は、求めた診察券ＩＤをベッド管理部ＴＢ０に照会することによって、対応するベッド番号を取得する。情報処理部ＴＢ３は、取得したベッド番号を装置管理部ＴＢ１に照会することによって、ベッド番号に対応するＢ−ＣＡＳカード３４０のカードＩＤを取得する。
【０１０３】
以上の情報処理によって、情報処理部ＴＢ３は、視聴課金の諾否が変化したカードＩＤ（以下「通信書換用のカードＩＤ」）を抽出する。
【０１０４】
なお、情報処理部ＴＢ３は、求めた診察券ＩＤを諾否管理部ＴＢ２に照会することによって、通信書換用のカードＩＤについて、通信課金の諾否（通信可、通信不可）を取得する。
【０１０５】
さらに、情報処理部ＴＢ３は、通信書換用のカードＩＤに対応するベッド番号から、位置的に最適な通信アクセスポイントを決定し、その通信アクセスポイントとの通信接続に必要なパスワード提供コンテンツを放送する割当チャンネルも情報として取得する。
なお、病院全体の通信アクセスポイントにおいて共通のパスワードを使用する場合は、パスワード提供コンテンツの割当チャンネルは１つのみになる。
【０１０６】
図８は、このパスワード提供コンテンツの一例を示す図である。
情報処理部ＴＢ３は、これらの情報をＥＭＭパケットエンコーダ１８３へ出力して、独自のＥＭＭメッセージの生成を要求する。
【０１０７】
ステップＳ２０３：  ＥＭＭパケットエンコーダ１８３は、通信不可の通信書換用のカードＩＤを送信先に指定して、パスワード提供コンテンツの割当チャンネルに対して『パスワード非提供メッセージ』を表示するＥＭＭパケットを生成する。
【０１０８】
図９は、このパスワード非提供メッセージの一例を示す図である。
このようなメッセージは、ＥＭＭ共通メッセージ番号とＥＭＭ個別メッセージとを組み合わせて生成してもよい。
【０１０９】
ステップＳ２０４：  ＥＭＭパケットエンコーダ１８３は、通信可の通信書換用のカードＩＤを送信先に指定して、パスワード提供コンテンツの割当チャンネルに対して『パスワード非提供メッセージ』の表示を解除するＥＭＭパケットを生成する。
【０１１０】
ステップＳ２０５：  ＥＭＭ重畳部１８０は、施設内コンテンツ１７０からパスワード提供コンテンツのトランスポートストリームを取得する。
【０１１１】
ステップＳ２０６：  マルチプレクサ１８４は、ステップＳ２０３、Ｓ２０４で生成されたＥＭＭパケットを、パスワード提供コンテンツのトランスポートストリーム内のＥＭＭパケットの箇所に交換、挿入または新規追加する形で多重する。
【０１１２】
ステップＳ２０７：  変調器１８５は、トランスポートストリームをパスワード提供コンテンツの割当チャンネルの周波数帯に再変調する。
【０１１３】
ステップＳ２０８：  混合器１９１は、パスワード提供コンテンツの放送信号と、その他の放送信号とを多重化し、放送配信Ｂ２を生成する。
【０１１４】
ステップＳ２０９：  分配器ネットワーク１９２は、放送配信Ｂ２を高周波伝送ケーブルを介して、複数の放送受信装置３００へ伝送する。
【０１１５】
以上のような一連の処理により、放送配信側において実施される通信の制限および解除の処理が実施される。
【０１１６】
＜放送受信装置３００の処理について＞
【０１１７】
次に、放送受信装置３００の処理について説明する。なお、ここでの放送受信装置３００は、施設内の自主放送の割当チャンネルの群が選局可能に設定済みである点を除いて、汎用の放送受信の装置と違いはない。
【０１１８】
図１０は、放送受信装置３００の処理を説明する流れ図である。
以下、同図に示すステップ番号に沿って説明する。
【０１１９】
ステップＳ３０１：  放送受信装置３００の制御部３２０は、リモコン端末４００や操作画面（図３参照）を介して、先に述べたように割当チャンネルの選局指示を受け付ける。  制御部３２０は、操作画面の選択結果を、施設内の自主放送の割当チャンネル（物理チャンネル）に自動的に振り分けるため、利用者はシステム独自の割当チャンネルを使用していることを意識せずに、選局指示を行うことが可能になる。
チューナー３１０は、この選局指示された割当チャンネルの周波数帯について放送配信Ｂ２を復調し、割当チャンネルのトランスポートストリームを得る。
【０１２０】
ステップＳ３０２：  デマルチプレクサ３２１は、トランスポートストリームからＥＭＭパケットを分離して、放送受信装置３００が搭載するＢ−ＣＡＳカード３４０に伝達する。
【０１２１】
ステップＳ３０３：  Ｂ−ＣＡＳカード３４０は、ＥＭＭパケットに含まれるカードＩＤ（非暗号箇所）が、自己のカードＩＤに一致するか否かを判定する。一致しない場合、Ｂ−ＣＡＳカード３４０はステップＳ３０８に動作を移行する。一方、一致した場合、Ｂ−ＣＡＳカード３４０はステップＳ３０４に動作を進める。
【０１２２】
ステップＳ３０４：  Ｂ−ＣＡＳカード３４０は、ＥＭＭパケットをＢ−ＣＡＳカード３４０固有のマスターキーＫｍで暗号解除する。
【０１２３】
ステップＳ３０５：  暗号解除されたＥＭＭパケットにＥＭＭメッセージの表示開始が含まれる場合、制御部３２０はステップＳ３０６に動作を進める。一方、ＥＭＭメッセージの解除指示が含まれる場合、制御部３２０はステップＳ３０７に動作を進める。それ以外の場合、制御部３２０はステップＳ３０８に動作を移行する。
【０１２４】
ステップＳ３０６：  制御部３２０は、選局中の割当チャンネルの表示画面に対して、ＥＭＭメッセージの表示を開始する。
【０１２５】
この割当チャンネルが視聴制限対象であれば、視聴制限メッセージ（図６参照）が画面上に表示されることになり、視聴が制限される。
【０１２６】
また、この割当チャンネルが、通信のパスワードを提供するパスワード提供コンテンツのチャンネルであれば、パスワード非提供メッセージ（図９参照）が画面上に表示されてパスワードが隠されることで、通信制限をパスワードで解除することができなくなる。
これらの動作の後に、制御部３２０はステップＳ３０８に動作を進める。
【０１２７】
ステップＳ３０７：  制御部３２０は、ＥＭＭメッセージの視聴制限の解除指示に従って、視聴可のチャンネルに対してＥＭＭメッセージを非表示にする。したがって、選局中の割当チャンネルの表示画面に、視聴を阻止する視聴制限メッセージ（図６参照）は表示されなくなり、利用者において当該チャンネルの視聴が可能になる。
【０１２８】
また、この割当チャンネルが、通信のパスワードを提供するパスワード提供コンテンツのチャンネルであれば、バスワード非提供メッセージ（図９参照）は表示されなくなり、利用者側はパスワードを使用できるようになる。
【０１２９】
利用者は、このパスワード提供コンテンツの画面から読み取ったパスワードを、バソコンやスマホなどの通信情報機器に入力することによって、通信アクセスポイントのパスワード制限を解除して通信情報機器によるインターネット接続を開始する。なお、ここでのパスワードの入力方法は、利用者がパスワート提供コンテンツの画面から視認で読み取って、通信情報機器のネットワーク設定に手入力してもよい。
【０１３０】
また、パスワード提供コンテンツ（図８参照）の画面を通信情報機器のカメラで撮影することによって、通信情報機器が、画面内の機械読み取り可能なコードからパスワードを取得して、ネットワーク設定に自動入力してもよい。
【０１３１】
また、放送受信装置３００自体がインターネット接続の機能を有する場合は、放送受信装置３００が、受信したパスワード提供コンテンツのデータからパスワードを取得して、ネットワーク設定に入力してもよい。
【０１３２】
以上のような一連の処理により、放送受信装置３００の処理が実施される。
【０１３３】
＜実施例１の効果など＞
実施例１は、上述した作用によって次の効果を奏する。
【０１３４】
（１）実施例１では、ベッド管理部ＴＢ０において、利用者の診察券ＩＤと、その利用者に割当られるベッドのベッド番号との対応関係を管理する。また、装置管理部ＴＢ１において、ベッドのベッド番号と、そのベッドに設置される放送受信装置３００のＢ−ＣＡＳカード３４０のカードＩＤとの対応関係を管理する。情報処理部ＴＢ３は、このようなベッド管理部ＴＢ０および装置管理部ＴＢ１にデータ照会を順次行うことにより、利用者の診察券ＩＤから出発して、利用者が使用する放送受信装置３００のＢ−ＣＡＳカード３４０のカードＩＤを特定できる。その結果、カードＩＤによってＢ−ＣＡＳカード３４０を応用した視聴制限を実現しつつ、診察券ＩＤという利用者個人の単位で視聴制限を設定管理することが可能になる。
【０１３５】
（２）さらに、実施例１では、課金管理部ＴＢ４によって、利用者の診察券ＩＤと、その利用者の視聴課金の情報を管理する。そのため、診察券ＩＤによる視聴制限の設定管理と併せて、診察券ＩＤによる課金管理も連携して行うことが可能になる。
【０１３６】
（３）また、病院や介護の施設では、入院中の利用者が途中でベッドや部屋を移る場合がある。特許文献２では、この移った先で利用者が新たに利用するデジタルテレビについて、視聴制限を引き継いで再設定するすべがなく、手間と時間がかかっていた。
しかし、実施例１では、入院中の利用者が途中でベッドや部屋を移った場合、ベッド管理部ＴＢ０において、診察券ＩＤとベッド番号の対応関係をデータ変更する。すると、情報処理部ＴＢ３は、このベッド管理部ＴＢ０のデータ変更を契機として、移った先のベッドに設置される放送受信装置３００のカードＩＤを検出して、移った先の放送受信装置３００の視聴制限を自動的に引き継いで設定完了する。
すなわち、実施例１では、利用者が途中でベッドや部屋を移った場合、ベッド管理部ＴＢ０のデータ変更さえ行えば、移った先に視聴制限を引き継いで再設定する作業が自動的に行われ、面倒な手間と時間がかからなくなる。
【０１３７】
（４）さらに、実施例１では、諾否管理部ＴＢ２が、利用者による通信課金の諾否を、利用者による視聴課金の諾否と一緒に、利用者の前記診察券ＩＤと対応付けて管理する。この構成により、通信制限の設定管理も、視聴制限の設定管理と一緒にまとめて実施することが可能になる。この場合、その他のデータ管理（ベッド管理部ＴＢ０および装置管理部ＴＢ１）は、視聴制限の設定管理と通信制限の設定管理の双方において共用するようになる。そのため、通信制限の設定管理と視聴制限の設定管理においてデータ管理に無駄な重複がない。したがって、放送配信システム１００はさほど複雑にならずに、通信制限の設定管理の機能を追加することが可能になる。
【０１３８】
（５）実施例１では、受信した放送コンテンツを、施設内の自主放送の割当チャンネルにチャンネル変換して配信する。施設内の放送受信装置３００であれば、施設内の自主放送の割当チャンネルを選局できるように予め設定される。そのため、放送配信システム１００では、割当チャンネルから復調されたＥＭＭパケットを用いて、施設内の放送受信装置３００に対して個別に制限および解除を実施することが可能になる。
【０１３９】
（６）さらに、実施例１では、施設内の放送受信装置３００を外部から持ち込まれた放送受信の装置に繋ぎ替えられてしまった場合、それだけでは施設独自の割当チャンネルを選局できないために視聴は不可になる。
一般に、初期設定を完了した放送受信の装置は、チャンネル設定を誤って書き換えられないように、説明書を読まなければチャンネル設定できない。
そのため、外部から持ち込まれた放送受信の装置を施設独自の割当チャンネルを選局できるようにチャンネル設定する操作はハードルが高い。したがって、外部から放送受信の装置を持ち込むことによる視聴制限逃れを難しくすることができる。
【０１４０】
＜補足事項など＞
【０１４１】
なお、上述した『診察券』は、病院や介護の施設において利用者を特定するＩＤ情報を取得するための個人識別媒体であればよい。例えば、介護の施設であれば個人識別媒体としての『入居者証』などが該当する。また、病院や介護の現場では、利用者を特定するＩＤ情報を取得するための個人識別媒体として、リストバンドなども使用される。したがって、このようなリストバンドなども該当する。
【０１４２】
また、個人番号カード、保険証、免許証、携帯電話の電話番号、電子メールのメールアドレス、機械読み取り可能な生体認証情報、顔認証情報などから特定される個人ＩＤを、クラウド上などで個々の病院の診察券番号（診察券ＩＤに該当）に紐付けることによって、診察券に代用することも可能である。そのため、このような診察券に代用可能なものも『診察券』に含まれうる。
【０１４３】
さらに、上述した『個人識別媒体』は、ＩＤ情報を取得可能な媒体であればよく、ＩＣカードや無線タグや磁気媒体や光記録媒体やメモリカードなどのＩＤ情報のデータを直接に読み書きできるものでもよい。また、個人識別媒体は、ＱＲコード（登録商標）やバーコードの印字媒体のように機械的に読み出しできるものでもよい。さらに、個人識別媒体は、文字や数字を記入したものであって、ＯＣＲや機械学習モデルで機械的に読み出しできるものでもよい。
【０１４４】
また、上述した実施例１では、表示画面を覆って隠すメッセージの表示・解除によって、コンテンツ視聴の制限・解除やインターネット使用の制限・解除を実現している。この形態であれば、放送事業体ごとの契約情報を勝手に書き換える必要がないため、実施例１のシステムが外部からの悪意の侵入者によってＢ−ＣＡＳカード３４０の偽造に利用されることがないなどの点で優れている。
【０１４５】
なお、本発明は、この表示画面を覆って隠すメッセージを使った技術に限定されない。例えば、独自のＥＭＭパケットをＢ−ＣＡＳカード３４０に与えて、独自の割当チャンネルごとの契約情報を書き換えることによって、コンテンツ視聴の制限・解除やインターネット使用の制限・解除を実現してもよい。
【０１４６】
さらに、上述した実施例１では、パスワードの例として、無線ＬＡＮの接続パスワード（Ｗｉ−Ｆｉパスワード）について説明した。しかしながら、本発明のパスワードは、インターネット接続を可能にする資格情報であればよい。例えば、通信接続業者（ブロバイダー）のパスワードやユーザＩＤでもよい。
【０１４７】
なお、課金部ＴＢ４は、個室や特別室等の差額ベッド料が料金明細に追加された場合、診察券IDに対して視聴または通信の課金をシステム側で発生させないようにしてもよい。
また、課金部ＴＢ４は、病院側の事情によって利用者が個室や特別室等を利用するため差額ベッド料が発生しない場合には、診察券IDに対して視聴または通信の課金をシステム側で発生させるようにしてもよい。
【０１４８】
さらに、配信部１９０は、利用者の試聴開始時などの適宜タイミングで、病院側が利用者に周知していただきたい情報（病院の取り決め、お知らせ、緊急時の避難路など）を配信するようにしてもよい。
また、配信部１９０は、試聴許諾のない利用者に対しても、視聴制限することなく、病院側が利用者に周知していただきたい情報（病院の取り決め、お知らせ、緊急時の避難路など）を無料配信するようにしてもよい。
【０１４９】
また、上述した実施例１では、管理コンピュータ１３０が接続されたネットワークＮＮが、ファイアウォールを介して医事システムＭＤと接続する。そこで、医事システムＭＤが許可する範囲で連携することによって、ベッド管理部ＴＢ０、装置管理部ＴＢ１、諾否管理部ＴＢ２、および課金部ＴＢ４などのデータを医事システムＭＤと共有してもよい。
【０１５０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。さらに、実施例１の構成の一部について、他の構成の追加・削除・置換をすることが可能である。
【符号の説明】
【０１５１】
ＭＤ…医事システム、ＴＢ０…ベッド管理部、ＴＢ１…装置管理部、ＴＢ２…諾否管理部、ＴＢ３…情報処理部、ＴＢ４…課金部、１００…放送配信システム、１１０…入力端末、１２０…診察券リーダ、１３０…管理コンピュータ、１４０…自動精算システム、１５０…診察券リーダ、１６０…分配器、１７０…施設内コンテンツ、１８０…ＥＭＭ重畳部、１８１…チューナー、１８２…デマルチプレクサ、１８３…ＥＭＭパケットエンコーダ、１８４…マルチプレクサ、１８５…変調器、１９０…配信部、１９１…混合器、１９２…分配器ネットワーク、３００…放送受信装置、３１０…チューナー、３２０…制御部、３２１…デマルチプレクサ、３２２…ＭＵＬＴＩ２解除部、３２３…マークアップ処理部、３４０…Ｂ−ＣＡＳカード、３５０…映像音声処理部、３６０…表示モニタ、３７０…スピーカ、３８０…リモコン受光部、３９０…ＬＡＮ部、４００…リモコン端末、４１０…ＬＡＮアクセスポイント
【要約】
【課題】Ｂ−ＣＡＳカード（登録商標、以下同じ）による視聴制限をしつつ、入院中の利用者の移動に連携した視聴制限を可能にする。
【解決手段】
放送配信システムは、診察券ＩＤとベッド番号とを管理するベッド管理部と、ベッド番号とＢ−ＣＡＳカードのカードＩＤとを管理するベッド管理部と、視聴課金の諾否と診察券ＩＤとを管理する諾否管理部と、諾否管理部またはベッド管理部のデータ変更を契機として診察券ＩＤをベッド管理部および装置管理部に照会して、視聴課金の諾否が変化したカードＩＤを抽出する情報処理部と、放送信号を復調したトランスポートストリームに『抽出したカードＩＤ宛てに視聴制限を行うＥＭＭパケット』を多重して再変調するＥＭＭ重畳部と、再変調後の放送信号を複数の放送受信装置に配信する配信部と、診察券ＩＤに紐付けて視聴課金の情報を管理する課金部とを備える。
【選択図】図１【図１】
0006783448.tif 000002
【図２】
0006783448.tif 000003
【図３】
0006783448.tif 000004
【図４】
0006783448.tif 000005
【図５】
0006783448.tif 000006
【図６】
0006783448.tif 000007
【図７】
0006783448.tif 000008
【図８】
0006783448.tif 000009
【図９】
0006783448.tif 000010
【図１０】
0006783448.tif 000011